(57)【要約】  ドライバーに例えば車線を逸脱する前に警告する警告しきい値がドライバー状態および／または走行状況に依存して適応整合されるドライバーサポート方法および装置が提供される。
2008514497.tif 000002
【特許請求の範囲】
【請求項１】
車両が予め定めた警告しきい値を超えると警告および／または対抗操作措置が行われるドライバーサポート方法において、ドライバー状態が求められおよび／または走行状況が求められかつドライバーの警告のための警告しきい値はドライバー状態および／または走行状況に依存して適応調整設定される
ことを特徴とする方法。
【請求項２】
注意力があり、覚醒しているドライバーの場合および／または隣接車線が空いている場合警告しきい値は伸張され、ここで警告しきい値の伸張とは警告が狭められた警告しきい値の場合よりも後に行われることを意味している
請求項１記載の方法。
【請求項３】
ドライバーが眠気があるおよび／または不注意であるときおよび／または隣接車線に物体があるとき、警告しきい値は狭められる
請求項１または２記載の方法。
【請求項４】
両方の車両サイドにおいて警告しきい値は異なっている、殊に相互に無関係に整合される
請求項１から３までのいずれか１項記載の方法。
【請求項５】
隣接車線が存在していないとき、警告は遮断されるもしくは警告しきい値は実現可能ではない値に置き換えられる
請求項１から４までのいずれか１項記載の方法。
【請求項６】
警告しきい値は走行路縁マークに対する距離値を表しているかまたは縁ラインを跨ぐまでの時間値を表している
請求項１から５までのいずれか１項記載の方法。
【請求項７】
更に、ドライバーの走行スタイルが考慮され、ここでオフェンシブ走行するスポーツ的な走行スタイルが存在しているとき、警告しきい値の伸張が行われる
請求項１から６までのいずれか１項記載の方法。
【請求項８】
警告しきい値を超えるとドライバーに警告しおよび／または対抗操作措置が行われるようにする処理ユニットを備えているドライバーサポート装置において、
処理ユニットは更に、ドライバー状態および／または走行状況が求められかつドライバー状態および／または走行状況に依存して警告しきい値が適応調整設定されるように構成されている
ことを特徴とする装置。
【発明の詳細な説明】
【技術分野】
【０００１】
従来技術
本発明は、ドライバーサポートのための、殊に車線を離れる際もしくは車線から離れそうになっている際の車両の警告もしくは対抗措置をとるための方法および装置に関する。
【０００２】
車線を離れる際もしくは車線から離れそうになっている際にドライバーに警告する警告システムは従来技術において公知である。例えばＥＰ１０７４４３０Ａ１には、画像センサシステムに基づいて車両が移動している車線が求められかつ、車両がこの車線を離れるもしくは離れようとしているときにドライバーに警告される手法が示されている。この形式の警告が行われる正確な縁条件に対する指示は挙げられていない。殊にその都度の走行状況は考慮されないので、ドライバーに不快な誤警告が生じてしまう可能性がある。
【０００３】
ＤＥ１９６３７０５３Ａ１から、角度分解距離および速度センサ、有利にはレーダまたはレーザセンサを用いて、隣接走行路上の物体を識別しかつこの物体の相対速度に基づいてその走行方向を求めることが公知である。
【０００４】
発明の利点
警告、有利には警告しきい値もしくは警告時点をドライバー状態および／または走行状況に依存して調整設定することによって、殊に車線逸脱時の誤警告率を著しく低減することが可能になり、しかもその際に安全性が失われることもない。これにより有利にも、このドライバーサポートシステムは一層受け入れやすくなる。
【０００５】
有利にも機能の拡張によりコストは生じない。それは、ビデオカメラを用いた物体識別にだけ基づいているシステムでは付加的なハードウェアが必要ないからである。有利にも機能の拡張のために、今日自動車において使用されているその他の機能、例えばレーダセンサを用いた物体識別が使用され、その結果別のハードウェアによる付加コストもここでは生じない。
【０００６】
特別有利には、ドライバーが注意深いときは警告しきい値は拡大もしくは伸張され、その結果誤警告を最小限にすることができ、一方ドライバーが注意深くない時は危険な状況を減らすために警告しきい値は狭められる。その際警告しきい値の拡大もしくは伸張とは縁マークに接近するまたはそれを超えた後でようやく警告が行われることを意味し、狭めるとは縁マークに対して相当離れた距離で警告が行われることである。
【０００７】
更に有利にも警告時点もしくは警告しきい値は走行状況に整合される。その際殊に警告時点もしくは警告しきい値はサイド別に定められる。例えば右側で路肩が空いている場合警告時点はシフトされて当該車線を路肩方向に離れた後もまだ警告が行われない。これによっても誤った警告は著しく低減される。街道で例えば右に車線が存在しないという別の状況において、右サイドでは警告は完全に断念され（警告機能の遮断もしくは警告範囲の、到達可能ではない領域への伸張）、これによりここでも誤警告率が低減される。それは、この走行状況においては車線逸脱したからといって警告しても意味がないからである。
【０００８】
さらなる利点は、以下の実施例の説明ないし従属請求項から明らかになる。
【０００９】
図面
次に、添付の図面を参照しながら実施例に基づき本発明について詳しく説明する。その際図１は、車両が車線を逸脱しそうになっている際に殊にドライバーに警告するもしくはリアクションを起こすように構成されている装置のブロック線図である。図２は、ドライバー状態依存および／または走行状況依存の、警告の適応型調整設定が有利な実施形態の枠内において示されているフローチャートの図である。図３および図４は警告の適応型調整設定の作用法を説明するための典型的な走行状況を示している。
【００１０】
実施例の説明
図１は、車両が車線を逸脱しそうになっている際にドライバーに警告するもしくはリアクションを起こすために用いられる装置を示している。入力回路１２、マイクロコンピュータ１４並びに出力回路１６を有している制御もしくは評価ユニット１０が示されている。これらエレメントは双方向のデータ交換のためにバスシステムと相互に接続されている。入力回路１２には種々の測定装置からの入力線路が導かれ、これら線路を介して測定信号もしくは測定情報が伝送される。第１の入力線路２０は入力回路１２を画像センサシステム２２に接続する。画像センサシステムは車両に配置されておりかつ車両の前方のシーンを撮影する。相応の画像データは入力線路２０を介して伝送される。更に入力線路２４ないし２８が設けられている。これらは入力回路１２を測定装置３０ないし３４に接続する。これらの測定装置は例えば車両速度を測定するため、操舵角またはヨーレートを捕捉検出するため並びに車両のその他の作動量を捕捉検出するための測定装置であり、これらは以下に説明する手法との関連において意味があるものである。出力回路１６および出力線路３６を介してドライバーにまもなく車線逸脱することになることを教えるもしくは警告する少なくとも１つの警告装置３８、例えば警告ランプおよび／または音響的な警告および／または音声出力のためのスピーカおよび／または画像の指示用ディスプレイがドライブ制御される。これに加えてまたは択一的に、いくつかの実施例において、出力回路１６および出力線路４０を介して調整力発生システム４２をドライブ制御するようになっている。このシステムは自動的に例えば、車両の操舵への介入により車両を再び車線内に戻しかつこうして車線逸脱を防止する。
【００１１】
有利な実施例において画像センサシステム、有利にはカメラシステムにより車線マークの識別が行われる。殊にグレー値分布に基づいて撮影された画像の解析により、画像評価ユニットにより縁マークが識別され、その経過が数学的な機能として求められる。画像センサシステムは１形態において更に、車両の現在車線の周囲における、従って隣接車線（左側または右側）上の物体をも観察するために用いられる。その際上で述べたような普通の物体識別メソッドが使用される。連続する撮影および車両の固有速度に基づいて、これらの情報を基に、隣接車線上に識別された物体が同じ走行方向にあるのかまたは反対向きの走行方向にあるのかかが求められる。このようにして走行状況（マークの種類および／または隣接走行路の種類および／または交通状況）が捕捉検出される。画像センサシステムに代わって別の実施形態において、走行状況捕捉検出のための別のセンサ、例えばレーダセンサ、レーザセンサなどが使用される。更に別の実施形態において、車両を取り囲む物体を識別しかつこれら物体に対する距離を求めるセンサが存在している。これらの場合、隣接走行路上の走行方向が求められるばかりでなく、隣接車線上の車両の実際の存在およびその運動方向が識別される。
【００１２】
少なくとも１つの走行路縁マークに関する情報に基づいて、その経過が数学的な関数として示され、並びに例えば操舵角などに基づいて求められる将来的な、固有車両の軌跡がこれら２つの関数の交差または許容されない接近の際に計算され、期待される、車線の逸脱が決定される。そうであってしかも、車線を逸脱する潜在的な危険が高いことから出発することができる走行状況が存在しているならば、ドライバーへの警告が音響的におよび／または光学的および／または触覚的に出力され、もしくは車両の進路への故意の介入操作により、例えば操舵介入操作により進路の修正が行われる。
【００１３】
上に説明したように、少なくとも１つのカメラの画像から走行路の経過が求められる。車両の進路から出発して、両方の車両サイドにおいて車両進路と走行路マークとの間の数学的に場合により存在する交点が求められる。別の作動量、もしくは車両速度を考慮して、警告時点が求められる。この時点は、走行路マークからの潜在距離の形において存在しており、例えばこの距離が所定の値、例えば２０ｃｍより小さいときに正確に警告が行われるが、それは時間値、いわゆるＴＴＬ値（Time to Line Crossing）によって行われる。後者の場合警告は、この時間値が例えば０．０２ｓｅｃより小さい時正確に行われる。この値は、車両がその時点の条件下で走行路マークを踏み越えるのに必要とする時間間隔を示している。この警告しきい値（警告時点）は上に説明したようにドライバー状態および走行状況に依存して整合される。
【００１４】
走行状況識別のために一方においてカメラ、他方において１形態においては別の走行状況識別センサ、例えばレーダセンサが設けられている。この走行状況識別部は隣接車線の存在に関するおよび殊にこれら車線における異物体、例えば車両の存在に関する情報を供給する。この情報に依存して、警告しきい値もしくは警告時点が変化され、殊に遅延されるが、そうしても系の安全性は少しも損なわれない。誤警告率は低減される。
【００１５】
有利な実施形態において上に簡単に述べた手法は制御ユニット１０の計算機１４の計算プログラムとして実現されている。図２には、この種の計算機プログラムを説明するシーケンスが示されている。基本思想は、ドライバー状態に対しても走行状況に対してもまたはこれら２つの量の１つだけに対して、車線逸脱警告器の警告の適応的な調整設定（警告しきい値、警告時点）のために評価される値ベクトルが求められる。その際ドライバー状態は実質的に注意力（すなわちドライバーは運転という課題に集中している）、疲労度および走行スタイルによって形成される。その際ドライバー状態は１００において種々の供給される作動量１０２ないし１０６に依存して求められる。例えばドライバーのヘッドポジションの観察に基づいてまたは操作エレメントの検知およびその操作により、ドライバーが注意力を運転課題に向けているかまたはドライバーがラジオを扱っているかどうかが検出される。更にガスペダル位置、操舵値に依存して例えばドライバーに対する疲労度値が求められる。この種の値を求めるための実施の例はＰＥＲＣＬＯＳアルゴリズムであり、これは比較的正確にドライバーの疲労度を表している。ドライバーの走行スタイルは例えばガスペダル操作、ブレーキ操作、車両の加速およびその変化により求められ、その際変化が僅かな場合にはディフェンシブな走行スタイルと見なされかつ非常に変化が大きい場合にはアグレッシブな走行スタイルと認められるなどである。ドライバーの注意力は別の実施例においては、ラジオ、ハンディまたはナビゲーションシステムの扱いを車両のＣＡＮバス上に行うことができる（所謂ハンズ・オン・デテクション＝Hands-On-Detektion）ようにすることによって求めることができる。
【００１６】
１０８において走行状況ベクトル、すなわち走行状況の記述に対する値が形成される。このことも走行状況に関して供給される作動量を考慮して行われる（１１０から１１４まで）。走行状況においてとりわけ、走行区間に関する情報（例えば市街道路かアウトバーンか）が重要である。車両が市街道路上にいるのかアウトバーン上にいるのかという情報は有利にはナビゲーションシステムからまたはビデオカメラの画像の評価に基づいて求められ、その際車線数および／または走行路の曲率半径に基づいて市街道路かアウトバーンかが推定される。更に隣接車線の存在に関する情報は走行状況の記述の一部である。隣接車線の存在は形態に応じて、車線逸脱警告器において車線識別のために使用される画像処理ユニットによって明かされる（冒頭で述べたとおり）。別の可能性はナビゲーションデータの使用である。走行状況を記述するための第１の構成要素は存在している隣接車線に存在している別の車両に関する情報である。これらの情報は有利には距離センサ、殊にレーダセンサによって形成される。これらのセンサは公知の手法において適応型走行速度調整器にまたはブラインド・スポット・デテクションにおいて使用されるものである。それ故にレーダセンサは反射に基づいて、物体が車両の前方もしくは後方または隣接して存在しているかを求める。相応の角度分解によりこれら物体は隣接車線にも対応付けされるので、このようにして隣接車線の車両に関する情報が求められる。
【００１７】
上に説明した手法において求められる、ドライバー状態および走行状況に関するベクトルが１１６において、警告、有利には警告時点、殊に「タイム・ツー・ライン・クロッシング」および／またはそれを下回った際に警告が行われる潜在距離（以下にまとめて警告時点という概念を使用する）の適応的な調整設定のために評価される。その際有利な実施例において警告時点の値と個々のベクトルの大きさとの対応関係がファイルされている。１１６における警告時点の適応調整設定後に、１１８において次のようにして車線逸脱警告が実施される。すなわち、車両の進路並びに求められた走行路縁マークを調整設定された警告時点を考慮して比較し、かつ警告時点を下回るとドライバーに光学的、音響的または触覚的に警告されもしくは車線を維持するような操舵操作介入がトリガされる。
【００１８】
警告時点の適応調整設定の有利な実施形態において説明している実施例においては、それぞれ可能な組み合わせに対するそれぞれ３つの値を有している２つのベクトルにより警告時点が予め定められる。別の実施例において警告時点の調整設定はベクトルデータから計算される。更に僅か１つのベクトル（ドライバー状態または走行状況）だけが使用される場合、実現のためには相応のオプションが取り入れられている。
【００１９】
その際警告しきい値もしくは警告時点の調整設定は実質的に次のように行われる。ドライバー状態に関連して、警告しきい値は拡大される、すなわち比較的小さな値（距離、時間）の方向にシフトされて、ドライバーが注意力がありかつ覚醒しているときにはシステムの誤警告が最小化されるようにする。しかしドライバー状態に眠気があるおよび／またはドライバー状態は注意力がないのであれば、警告しきい値は狭められて危険な状況が最小化されるようにする。走行スタイルは警告時点の適応調整設定に、アグレッシブ、オフェンシブまたはスポーツ的な走行スタイルの場合には、ディフェンシブでリラックスしている走行スタイルの場合の警告時点に比べて伸張される、すなわちより小さな値（距離、時間）の方向にシフトされて、スポーツ的なドライバーが不必要に誤警告されることがないようにする。
【００２０】
走行状況に関連して、有利な実施例において、アウトバーン走行が識別されておりかつ右に空いている路肩がある（他の物体なし）場合警告時点は右サイドにおいては、それが車線を離れて相当経っているほど伸張することができるように設定されている。ドライバーはこの状況において車両を隣接車線（この場合路肩）を離れる前になお、修正する形で戻し操舵することができる。このような手法においても誤警告の数は著しく低減される。相応の仕方で実施形態において左の車線を離れる際の警告しきい値（もしくは警告時点）は、左側に別の車線がありかつ相応の車線に車両が存在していないことが保証されているとき本来の車線逸脱の相当後に置かれる。右サイドに車線がない（堀、並木など）市街地道路では状況は異なっている。このような状況においては、右方向への車線逸脱の際の警告は不注意な状況においては適時に行うことができないことから出発せざるを得ない。そうなってくると警告を発することは意味をなさない。換言すればこの場合右サイドにおいて警告は遮断されもしくは警告時点は到達が可能ではないほど引き延ばされる。このような手法においてここでも誤警告率は０に低減される。
【００２１】
左サイドの車線を離れる際には１実施形態においてはアウトバーンの状況に相応して行われる。車線がありかつ車線に別の物体があると、警告時点は狭められ、一方車線があって別の物体がないときは警告時点は伸張される。この状況において警告時点は本来の車線逸脱後相当後になる可能性がある。
【００２２】
警告時点が走行状況にもドライバー状態にも依存して調整設定されるとしても、優先度が高いのはいずれの場合においてもドライバー状態の方である。すなわち眠気があるおよび／または不注意であるドライバーの場合、たとえ他の物体がない隣接車線が存在しているときにも警告しきい値は狭められる。
【００２３】
図３には車線２００と隣接車線２０２とが図示されている。車両２０４は車線２００を移動している。警告しきい値（ここでは走行路縁マーク２０６もしくは２０８に対する潜在距離）は左サイドにおける点線２１０，２１２および右サイドにおけるライン２１４および２１６によって図示されている。どんな範囲で警告時点が適応調整設定されるかが図示されている。走行路縁マークのそれぞれ左側の点線は狭められた警告時点を表しており、一方車両からずっと離れたことにある境界（２１０，２１６）は伸張された警告しきい値を表している。
【００２４】
図４には上に説明した走行状況が図示されている。ここでも、車両２０４は物体が存在していない隣接車線２０２上を走行している。従って上に説明したように、非常に伸張されておりかつ実際の車線逸脱から相当後になる警告しきい値２１８が調整設定される。さらに車両２０４は図４に図示のコース２２０をとる。時点２２２で車線を離れるがここでは警告は行われない。そればかりかドライバーに修正の可能性が与えられる。非常に後になった警告しきい値２２４を超えて初めて警告がトリガされる。というのはここでようやく本当の危険が迫ってくるからである。
【図面の簡単な説明】
【００２５】
【図１】車両が車線を逸脱しそうになっている際に殊にドライバーに警告するもしくはリアクションを起こすように構成されている装置のブロック線図
【図２】ドライバー状態依存および／または走行状況依存の、警告の適応型調整設定が有利な実施形態の枠内において示されているフローチャートの図
【図３】警告の適応型調整設定の作用法を説明するための典型的な走行状況を示している略図
【図４】警告の適応型調整設定の作用法を説明するための別の典型的な走行状況を示している略図
【図１】
2008514497.tif 000003
【図２】
2008514497.tif 000004
【図３】
2008514497.tif 000005
【図４】
2008514497.tif 000006
【国際調査報告】
2008514497.tif 000007
2008514497.tif 000008
2008514497.tif 000009
2008514497.tif 000010
2008514497.tif 000011
2008514497.tif 000012